(57)【特許請求の範囲】
【請求項１】
移動する踏段と同期して欄干を移動する手すりベルトと、
前記手すりベルトが前記欄干に侵入するためのインレットと、
前記欄干の下部内部に設けられたインレットスイッチと、
前記手すりベルトを囲むように配された断面Ｃ字型で、かつ、前記インレットから突出した状態から侵入した状態へ前記手すりベルトの進行方向に沿って移動自在なインレット検出体と、
前記インレット検出体の基部に配され、かつ、前記インレット検出体に対し着脱自在であり、前記インレット検出体が前記侵入した状態で前記インレットスイッチを操作する保持部材と、
前記インレット検出体の外周面に前記進行方向に沿って設けられたガイド溝と、
前記欄干の下部内部に設けられ、前記ガイド溝を前記進行方向に沿ってガイドするガイドレールと、
を有し、
前記インレット検出体の下面に切欠きが形成されている、
ことを特徴とする乗客コンベアのインレット安全装置。
【請求項２】
移動する踏段と同期して欄干を移動する手すりベルトと、
前記手すりベルトが前記欄干に侵入するためのインレットと、
前記欄干の下部内部に設けられたインレットスイッチと、
前記手すりベルトを囲むように配された断面Ｃ字型で、かつ、前記インレットから突出した状態から侵入した状態へ前記手すりベルトの進行方向に沿って移動自在なインレット検出体と、
前記インレット検出体の基部に配され、かつ、前記インレット検出体に対し着脱自在であり、前記インレット検出体が前記侵入した状態で前記インレットスイッチを操作する保持部材と、
前記インレット検出体の外周面に前記進行方向に沿って設けられたガイド溝と、
前記欄干の下部内部に設けられ、前記ガイド溝を前記進行方向に沿ってガイドするガイドレールと、
を有し、
前記ガイド溝は、前記インレット検出体の基部側においては貫通し、先端部側では貫通していない、
ことを特徴とする乗客コンベアのインレット安全装置。
【請求項３】
前記インレット検出体が、弾性変形可能である、
ことを特徴とする請求項１又は２に記載の乗客コンベアのインレット安全装置。
【請求項４】
前記インレット検出体が、少なくとも左右に分割された複数の検出片から構成されている、
ことを特徴とする請求項１乃至３のいずれか一項に記載の乗客コンベアのインレット安全装置。
【請求項５】
前記各検出片が隙間を介して配されている、
ことを特徴とする請求項４に記載の乗客コンベアのインレット安全装置。
【請求項６】
前記ガイド溝の内側が、低摩擦体によって形成されている、
ことを特徴とする請求項１乃至５のいずれか一項に記載の乗客コンベアのインレット安全装置。
【請求項７】
前記保持部材に突出体が突出し、前記インレット検出体の基部に前記突出体と嵌合する固定穴が開口している、
ことを特徴とする請求項１乃至６のいずれか一項に記載の乗客コンベアのインレット安全装置。
【発明の詳細な説明】
【技術分野】
【０００１】
本発明の実施形態は、エスカレータや動く歩道などの乗客コンベアのインレット安全装置に関するものである。
【背景技術】
【０００２】
従来より、乗客コンベアの乗降口における手すりベルトの出入口であるインレットとには、乗客の安全のためにインレット安全装置が設けられている。
【０００３】
例えば、第１の提案のインレット安全装置としては、インレット検出体と手すりベルトとの間で、乗客の指先の挟まれが発生したときは、インレット検出体の固定部のボルトを外して、インレット検出体を左右に分割して、挟まれている指先などを救出する。
【０００４】
また、第２の提案のインレット安全装置では、インレット検出体を分解して異物を速やかに解放できる。このインレット安全装置は、インレット検出体を周方向の中央位置で一端から他端に至るまで分解可能な構成にし、分解された一方のインレット検出体片の分離面に電磁石を設け、他方のインレット検出体片の分離面に磁性金属板を配設している。そして、このインレット安全装置は、異物の挟み込みを検出するインレットスイッチの非動作時には、電磁石が磁性金属板を磁気吸引して、２つのインレット検出体片を結合させ、インレットスイッチの動作時には、乗客コンベアの運転を停止すると共に、電磁石を消勢して２つのインレット検出体片を分解できるようにして、障害物が容易に引き出せるようにしている。
【先行技術文献】
【特許文献】
【０００５】
【特許文献１】特開２０１０−２３９５８号公報
【特許文献２】特開２００４−２２４５５３号公報
【発明の概要】
【発明が解決しようとする課題】
【０００６】
上記第１の提案のインレット安全装置においては、インレット検出体の固定部を分解するのに専用工具が必要であり、また、インレット検出体の前面に締結部品が見えており、意匠上好ましくないという問題点があった。
【０００７】
また、第２の提案のインレット安全装置においては、インレット検出体が容易に分解できるようにしているが、分解面での結合手段として電磁石や係合構造を用いているため、コストが掛かり、不用意に分解された後に、元の状態に復帰できないという問題点があった。
【０００８】
そこで、本発明は、上記問題点に鑑み、インレットにおける異物の挟み込みに対する安全性が高く、異物が挟み込まれても容易に引き出すことができる乗客コンベアのインレット安全装置を提供するものである。
【課題を解決するための手段】
【０００９】
本発明の実施形態は、移動する踏段と同期して欄干を移動する手すりベルトと、前記手すりベルトが前記欄干に侵入するためのインレットと、前記欄干の下部内部に設けられたインレットスイッチと、前記手すりベルトを囲むように配された断面Ｃ字型で、かつ、前記インレットから突出した状態から侵入した状態へ前記手すりベルトの進行方向に沿って移動自在なインレット検出体と、前記インレット検出体の基部に配され、かつ、前記インレット検出体に対し着脱自在であり、前記インレット検出体が前記侵入した状態で前記インレットスイッチを操作する保持部材と、前記インレット検出体の外周面に前記進行方向に沿って設けられたガイド溝と、前記欄干の下部内部に設けられ、前記ガイド溝を前記進行方向に沿ってガイドするガイドレールと、を有し、前記インレット検出体の下面に切欠きが形成されている、ことを特徴とする乗客コンベアのインレット安全装置である。また、本発明の実施形態は、移動する踏段と同期して欄干を移動する手すりベルトと、前記手すりベルトが前記欄干に侵入するためのインレットと、前記欄干の下部内部に設けられたインレットスイッチと、前記手すりベルトを囲むように配された断面Ｃ字型で、かつ、前記インレットから突出した状態から侵入した状態へ前記手すりベルトの進行方向に沿って移動自在なインレット検出体と、前記インレット検出体の基部に配され、かつ、前記インレット検出体に対し着脱自在であり、前記インレット検出体が前記侵入した状態で前記インレットスイッチを操作する保持部材と、前記インレット検出体の外周面に前記進行方向に沿って設けられたガイド溝と、前記欄干の下部内部に設けられ、前記ガイド溝を前記進行方向に沿ってガイドするガイドレールと、を有し、前記ガイド溝は、前記インレット検出体の基部側においては貫通し、先端部側では貫通していない、ことを特徴とする乗客コンベアのインレット安全装置である。
【図面の簡単な説明】
【００１０】
【図１】エスカレータの欄干端部を示す要部側面図である。
【図２】同じく欄干端部を示す要部正面図である。
【図３】図２におけるＡ−Ａ線断面図である。
【図４】図３におけるＢ−Ｂ線断面図である。
【図５】図３におけるＣ−Ｃ線断面図である。
【図６】図４における矢印Ｄ方向から見た図である。
【発明を実施するための形態】
【００１１】
以下、本発明の一実施形態の乗客コンベアのインレット安全装置１について図面に基づいて説明する。本実施形態では乗客コンベアの例として、エスカレータ１０のインレット安全装置１で説明する。
【００１２】
図１は、本実施形態のエスカレータ１０の欄干１２の端部を示す要部側面図、図２は、同じく欄干１２の端部を示す要部正面図、図３は図２におけるＡ−Ａ線断面図、図４は図３におけるＢ−Ｂ線断面図、図５は図３のＣ−Ｃ線断面図であり、図６は図４における矢印Ｄ方向から見た図である。
【００１３】
（１）エスカレータ１０の構造
エスカレータ１０の構造について図１、図２に基づいて説明する。
【００１４】
エスカレータ１０は、複数の踏段が進行方向に沿って移動し、この踏段の左右両側部に左右一対の欄干１２，１２が立設されている。この欄干１２の上端部から端部に沿ってベルト支持体１４が設けられ、このベルト支持体１４に沿って手すりベルト１６が移動する。欄干１２の下部の正面には、欄干１２の下部を被う正面スカートガード１８が設けられ、欄干１２の下部側面には、スカートガード２０とこのスカートガード２０の上部にあるデッキカバー２２が設けられている。
【００１５】
図２に示すように、正面スカートガード１８の正面からインレット部２４が突出し、このインレット部２４には、手すりベルト１６の出入口であるインレット２３４が設けられている。なお、本明細書では、「インレット２３」とは開口した出入り口を意味し、インレット部２４は、正面スカートガード１８の正面から突出した部分を意味する。
【００１６】
インレット２３には、上記したように手すりベルト１６が侵入し、この侵入する手すりベルト１６の周囲には、合成ゴム、樹脂などで形成された断面Ｃ型のインレット検出体（以下、単に「検出体」と呼ぶ）２６が、手すりベルト１４の進行方向（以下、単に「進行方向」と呼ぶ）に沿って進退自在に設けられ、検出体２６は、正常時にはインレット部２４のインレット２３から突出した状態であり、異物が挟まったときなどは、インレット部２４内部に侵入した状態となる。
【００１７】
（２）インレット安全装置１の構造
次に、インレット２３において異物が挟まれ、エスカレータ１０を停止させるインレット安全装置１について図３〜図５に基づいて説明する。
【００１８】
インレット安全装置１は、上記した検出体２６、インレットスイッチ２８及び保持部材３２とを有している。
【００１９】
検出体２６は、図４及び図５に示すように、断面Ｃ字型で、中央部を境に隙間３４を介して左右に分解可能な左検出片３６と右検出片３８より構成されている。左検出片３６の上部及び左側部には、ガイド溝４０が進行方向に沿って設けられている。このガイド溝４０は、図３に示すように、左検出片３６の基部まで貫通し、逆に、左検出片３６の先端部側においては閉塞され、貫通していない。一方、右検出片３８の上部と右側部にも同様にガイド溝４２がそれぞれ設けられている。また、ガイド溝４０，４２の内周部には、樹脂、鋼鉄製の低摩擦体で構成されたＣ字型で中空のガイドピン４８が設けられている。なお、低摩擦体とは、検出体２６の材料である合成ゴム、樹脂よりも動摩擦係数及び静止摩擦係数が低い材料を意味する。
【００２０】
図４に示すように、ガイドレール４４，４６が、正面スカートガード１８の内部において内方に突出し、左検出片３６と右検出片３８のガイド溝４０，４２と嵌合し、左検出片３６と右検出片３８とよりなる検出体２６を進行方向に移動自在としている。
【００２１】
図６に示すように、左検出片３６と右検出片３８の下面には、進行方向に沿って設けられた隙間３４を挟んで左右一対の切欠き５８，６０が設けられている。この切欠き５８，６０によって、検出体２６の下面には、小判型の切欠きが形成される。
【００２２】
金属製の保持部材３２は、左検出片３６と右検出片３８よりなる検出体２６を基部側から保持するための部材であって、断面Ｃ字型の検出体２６の断面形状とほぼ同じ形状を有する保持板５０と、この保持板５０から後方に突出した操作部５２とよりなる。保持板５０の前面には、三角錐型の４個の突出体５４が突出し、左検出片３６と右検出片３８には、突出体５４が嵌合する固定穴５６が開口している。保持板５０の４個の突出体５４が左検出片３６と右検出片３８の固定穴５６と嵌合することにより、保持部材３２が検出体２６と着脱自在に一体化する。但し、検出体２６は、前方に対し引抜き可能となっている。
【００２３】
図３に示すように、インレットスイッチ２８が、スカートガード２０内部に設けられ、保持部材３２の操作部５２が、インレットスイッチ２８のスイッチ動作部３０をＯＮ／ＯＦＦする。
【００２４】
（３）インレット安全装置１の動作状態
インレット安全装置１の動作状態について説明する。
【００２５】
エスカレータ１０が正常運転時には、手すりベルト１６は、欄干１２のベルト支持体１４に沿って移動し、インレット部２４のインレット（出入り口）２３から正面スカートガード１８内部に侵入する。
【００２６】
このときに、手すりベルト１６と検出体２６との隙間に、指先などの異物が侵入した場合には、手すりベルト１６の進行方向に沿って検出体２６が異物によって移動し、一体化している保持部材３２の操作部５２を介して、インレットスイッチ２８のスイッチ動作部３０が操作し、インレットスイッチ２８がＯＮ状態となる。このインレットスイッチ２８からのＯＮ状態の信号により、不図示の制御装置がエスカレータ１０を停止させる。
【００２７】
異物等が奥深い位置まで引き込まれた場合には、検出体２６と手すりベルト１６との隙間で挟まれて圧迫された状態から、検出体２６の下面に配置した左右一対の小判型の切欠き５８，６０により一時的に解放され、異物が指などの場合には怪我等から回避できる。
【００２８】
また、検出体２６は、左右に分割されているため、場合によっては左検出片３６と右検出片３８の隙間３４より、検出体２６を弾性変形させて、異物を引き抜くことができる。この理由は、検出体２６が、合成ゴム、樹脂などから構成されるからである。
【００２９】
また、検出体２６と手すりベルト１６の隙間に異物が挟まれ、引き抜くことができない場合は、インレット部２４付近の部品を分解することなく、検出体２６を手すりベルト１６の進行方向とは反対方向にガイド溝４０，４２に沿って引き抜き、被災者を救済できる。この理由は、検出体２６が、保持部材３２と固定穴５６、突出体５４の嵌合で固定され、前方に引き抜き可能だからである。上記のような救済で取り外した検出体２６は、ガイド溝４０，４２をガイドレール４４，４６へ挿入し、保持部材３２側に押し込むことで、固定穴５６に保持板５０の突出体５４が挿入され再び一体化されて、復旧できる。
【００３０】
（４）効果
本実施形態によれば、異物が指先などの場合には、左検出片３６と右検出片３８によって形成された小判型の切欠き５８，６０で一時的に解放され、怪我から回避でき、また、左検出片３６と右検出片３８の隙間３４から引き抜くこともできる。
【００３１】
また、異物を引き抜くことができない場合には、検出体２６を手すりベルト１６の進行方向とは反対方向に引き抜くことができるため、救済を容易に行うことができる。また、逆に救済後には、検出体２６を保持部材３２に簡単に取り付けることができるため、復旧も容易にできる。
【００３２】
（５）変更例
上記実施形態では、乗客コンベアとしてエスカレータ１０で説明したが、これに代えて動く歩道で適用してもよい。
【００３３】
また、検出体２６は、上記各実施形態では左検出片３６と右検出片３８の２つに分割したが、これに限らず２つ以上に分割してもよい。
【００３４】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１０・・・エスカレータ、１２・・・欄干、１６・・・手すりベルト、１８・・・正面スカートガード、２４・・・インレット部、２６・・・検出体、２８・・・インレットスイッチ、３２・・・保持部材、３４・・・隙間、３６・・・左検出片、３８・・・右検出片、４０，４２・・・ガイド溝、４４，４６・・・ガイドレール、５４・・・突出体、５６・・・固定穴
【図１】
0005704715.tif 000002
【図２】
0005704715.tif 000003
【図３】
0005704715.tif 000004
【図４】
0005704715.tif 000005
【図５】
0005704715.tif 000006
【図６】
0005704715.tif 000007